(57)【要約】      （修正有）【課題】スリップ防止において、必要時だけ靴底に爪が出て、不要時は邪魔にならない所に隠れ、簡易に爪の出入を可能にするし、次の３条件を同時満足する。１.機能が必要な路面では、オンとして接地部に機能部を有効に保持する。２.機能が不要な路面では、オフとして活動の邪魔にならない状態に保持する。３.路面の変化に応じて突起物のオンオフ選択を接地面から離れた操作の容易な所で行う。【解決手段】接地用具（１）において、接地部（２）の一部を独立した機能部（６）として所望の物性を持たせ、該機能部が接地して機能を発揮するオン状態と接地面の近傍に保持されるオフ状態とに変化するオンオフ機構を該機能部に設け、間接的又は直接的な手段によって、該接地面から離れた位置で制御部（３）を操作して該機能部のオンオフを該接地面から離れた位置で自在に行う。【選択図】図１
2012081006.tif 000002
【特許請求の範囲】
【請求項１】
移動の能率と安全を向上するために用いる接地用具において、下記の４条件から構成されることを主要な特徴とする接地条件の制御用具。
１.  路面（３）に接する接地部（２）の少なくとも一部を独立した機能部（６）とし、突起部を脱着、回転、移動、反転、変形、被覆の何れかを利用して該機能部の機能をオンオフする選択機構（６６）を持つ。
２.  オンでは、突起、起伏又は肌合いによる所望の物性を持たせた該機能部が使用時に受ける負荷で移動に影響する変位をしないように固定する。
３.  オフでは該機能部を該接地部の近傍に格納する。
４.   該オンオフには、制御部材若しくは媒介現象による間接法、又は着脱により直接選択操作する直接法の何れかを利用して路面から離れた上方の容易に手が届く操作位置でオンオフする。
【請求項２】
機能部（６）を着脱具（３２）に取り付け、幾何学的な掛止機構（フックやボタンのようにトポロジー的な形状による）、面ファスナー、プラスチックバックル、気圧差の吸着力、磁力による付着、弾性力による締め付け等の何れかを利用することによって着脱自在に取付け、該機能部の選択機構（68）を操作の容易な位置で行うことを特徴とする請求項１に記載の接地条件の制御用具。
【請求項３】
支承部（３３）と軸状の間接材（６１）の間に螺旋起動を形成し、上下運動に回転運動が伴うことを特徴とする請求項１に記載の接地条件の制御用具。
【発明の詳細な説明】
【技術分野】
【０００１】
本発明は、接地用具の接地条件の制御用具に関し、特にスリップ防止に関する。
【背景技術】
【０００２】
本願における接地用具は、靴及びブーツなどの履物並びにタイヤ及び無限軌道などの車輪装置のように、移動する路面に接する接地部分があり、この部分の特有な起伏又は付加物加工によって移動の安全と能率を向上させる器具である。従来、代表的な接地用具である靴を履いてする各種のスポーツにおいては、靴底の接地部に突起（スパイクやトレッドパターン）を植えてスリップを防止している。
【０００３】
しかし、不要なところでは路面又は該突起が損傷する。この欠点を解決するために、特許文献１以来、多くの発明がなされて来た。これは突起をカバーやゴムバンドのように簡易に着脱する器具の接地部に植え、防滑の機能を持つ部分を機能部とし、不要時は該機能部を含む着脱用具全体を取り外して格納することによって、該機能部の使用と不使用、即ち、オンとオフを選択する用具である。しかし、格納時はポケットやバッグが嵩張って活動の邪魔になったり汚れたりする欠点があった。
【０００４】
この欠点を解決するために、オフ時には該機能部を反転と移動によって該接地部に近い位置に格納する用具が発明された。即ち、独立の機能部として小鋼片の片面に突起を形成して該接地部に取り付け、該突起部の裏返しによってオンオフを選択した。こうした突起板の反転による手段については、特許文献２、特許文献３、特許文献４及び特許文献5、特許文献６など多数の特許が出願されてきた。しかし、このような方法では反転の空間を作るため反転時に足を大きく上に上げて該機能部を操作するので、窮屈な姿勢を要し、特に足や手の不自由な場合は操作が面倒になる欠点があった。
【０００５】
この欠点を解決するために特許文献7から9のような多様な手段が提案され、スパイク部の露出と被覆による方法、弾性変形を利用する方法も多いが、オンオフには特殊の姿勢を要する欠点がある。
【０００６】
加えて、従来の方法では、面倒な操作を容易にするために該機能部の位置保持力が弱すぎて不安定になるか、強すぎて適時のオンオフ操作を怠ることが生じ、スリップ事故を生じたり、突起や床表面が損傷したりする欠点があった。
【先行技術文献】
【特許文献】
【０００７】
【特許文献１】米国特許 第４４９６１号                        １８６５
【特許文献２】米国特許 第３０９７４７号  ice creeper １８８４
【特許文献３】米国特許 第２９２０４０３号  shoe creeper １９６０
【特許文献４】特開平８−１４０７０６号（１９９４年出願）
【特許文献５】日本国特許 第３０１６１１２号
【特許文献６】日本国特許 第４３４２１０５号
【特許文献７】米国特許第３７９３７５１号
【特許文献８】米国特許第４２７１６０８号
【特許文献９】米国特許第５７２２１８９号
【発明の概要】
【発明が解決しようとする課題】
【０００８】
発明の課題は、使用時は使用条件に応じた適切な接地条件を選択して安定することができ、不使用時は移動などの邪魔にならず、選択の操作が容易であることである。即ち、接地用具において下記の３条件を同時に満足することである。
１）   確実な機能部のオンオフ選択が可能である（必要な時に限定して効果を発揮するように効果的な機能部を接地部に保持する）。
２）   機能部が不要な路面では、接地面の近傍に収納する（活動の邪魔をしないオフ状態にする）。
３）   上記オンオフの制御を操作の容易な位置で行う（路面から上方に離れた位置で通常動作範囲の姿勢のまま操作する）。
【課題を解決するための手段】
【０００９】
本発明は、上記の課題を解決するため、下記の４条件から構成されることを主要な特徴とする。
・  路面（３）に接する接地部（２）の少なくとも一部を独立した機能部（６）とし、突起部を脱着、回転、移動、反転、変形、被覆の何れかを利用して該機能部の機能をオンオフする選択機構（６６）を持つ（オンの機能状態とオフの格納状態を選択する選択機構を持つ）。
２.  オンでは、突起、起伏又は肌合いによる所望の物性を持たせた該機能部が使用時に受ける負荷で過大な変位をしないように固定する。（移動中に他に接触して怪我や破損を生じないように固定し、又は、接地部に押し付けらながら安定的に路面に接して移動の安全と能率とを向上する。）
３.  オフでは該機能部を該接地部の近傍に格納する。
４.   該オンオフには、制御部材若しくは媒介現象による間接法、又は着脱により直接選択操作する直接法の何れかを利用して路面から離れた上方の容易に手が届く操作位置でオンオフする（選択機構を利用してオンオフの制御を無理な姿勢を取らずに行う。）
【００１０】
該間接法は、該選択機構において、該制御部材又は該媒介現象を用いて上方で操作の容易な位置から該機能部の状態を変更して該選択の操作をする手段である。該制御部材は物理的な力を伝達する線材、棒材、帯材、流体の何れかである。該上方で加えた力が該制御部材を介して該機能部に伝達され該選択を操作する。
【００１１】
該選択機構において、該媒介現象は電流、音波、電磁波の何れかである。該媒介現象の発信元（スイッチ又は操作パネル）を該上方に仮止めし、該発信元からの発信により、電動機の回転、ソレノイドの出入り、形状記憶材料の加熱変形の何れかを用いて該選択を操作する。
【００１２】
より容易な位置で該選択を行うために該媒介現象の端末選択機構を該接地用具の上方又は着衣に着脱可能に付着させる。これによって該選択が一層容易になる。
【００１３】
該直接法における着脱の選択機構は、着脱具（３２）に着脱自在に取付ることによって簡易な用具になる。着脱は、幾何学的な掛止機構（フックやボタンのようにトポロジー的な形状による）、面ファスナー、プラスチックバックル、気圧差の吸着力、磁力による付着、弾性力による締め付け等の何れかを利用した機構である。即ち、この機構により操作の容易な該上方で該機能部の状態を手で直接変更してから元の位置に戻す機構である。なお、取付具（３１）を利用すると、多くの接地用具に転用ができるので使用する費用が軽減する。
【００１４】
該着脱をより容易な位置で行うために該着脱の該選択機構に弾性材料から成る把手の間接材（６１）を上方に向けて付加する。これによって該着脱が一層容易になる。
【００１５】
より容易な位置で該着脱を行うために該制御部材又はその拘束材料の上方の端末を該接地用具の上方又は着衣に着脱可能に付着させる。これによって該選択が一層容易になり、該選択動作が更に敏速に完了する。
【発明の効果】
【００１６】
上記のように、本発明は該接地用具における該機能部の該選択を簡易に接地面から上で行うことを可能にし、該接地用具の使用条件に適した物性の材料で該機能部を構成して移動をより安全且つ能率的にする効果を奏する。なお、請求項２の着脱による制御の器具では、他の器具に転用が容易になるので一個の用具を多くの接地用具に転用することを可能にして経済的になる。
【図面の簡単な説明】
【００１７】
【図１】は着脱具（３２）に取り付けた機能部（６）をオフにした状態の側面図である。（実施例１）
【図２】は該機能部をオンにする途中に靴底の踵部を浮かせた状態で、機能部（6）を押し下げた状態の側面図である。（実施例１）
【図３】は該把手の軸回転によって該機能部を靴底下に導き、靴底で抑えられた状態の側面図である。（実施例１）
【図４】は該把手を更に９０度まで軸回転させた状態の側面図である。（実施例１）
【図５】は着脱具（３２）を着けるための保持装置（31）の装着要領を示す側面図と背面図の並列図である。（実施例1）
【図６】は電動モーターによる駆動機構（６６）を用い、オン操作の開始準備が完了した状態の側面図である。（実施例２）
【図７】は電動の駆動機構（６６）の無線スイッチによる制御部（６７）を着衣の一部に着けた側面図である。（実施例２）
【図８】は自動車の車輪に着けた着脱具（３２）に機能部（６）を取付け、該機能部をオンにした状態の斜視図である。（実施例３）
【図９】は該機能部をオフにした状態の斜視図である。（実施例３）
【図１０】は着脱を容易にする把手の間接材（６１）を着けた着脱具（３２）の装着状態における側面図である。（実施例４）
【発明を実施するための形態】
【００１８】
不要時の格納状態が障害になることを防ぎ、且つ、望ましい物性を持つ機能部を適時に確保する目的を、オンオフ選択機構とオンオフ操作手段とを適切に組み合わせることによって、簡易な用具で実現した。
【実施例１】
【００１９】
図１から図５は、本発明の実施例１に関し、図５の他は側面図である。図１に示すように、靴の接地用具（1）に装着した着脱具（３２）において、支承部（３３）によって軸回転する間接材（６１）を保持する。該間接材の先端は直角に曲げ、機能部（６）を回転自在に保持する。該機能部は薄シートにスパイクを打設して突起（６３）を加工する。該機能部は略垂直の回転軸を選択機構（６８）として回転し、位置と姿勢を変える。使用環境によってスパイク打設を異なる材料の起伏形状に変えて防滑効果を変えることもできる。該機能部は回転自在に芯棒に取り付ける。該着脱具（３２）に取り付けた機能部（6）をオフにした状態である。該着脱具は面ファスナーなどで取付具（２１）に着ける。
【００２０】
図２に示すように、該機能部をオンにするために靴底の踵部を浮かせた状態で、把手の付いた間接材（６１）の上を押してゴム紐の弾性材（６２）を伸ばして機能部（６）を押し下げる。
【００２１】
図３に示すように、該把手の軸回転によって該機能部を靴底下に導き、靴底で抑えて水平の姿勢にする。
【００２２】
図４に示すように、該把手を更に90度まで軸回転させると該該突起は前後の配置になる。該機能部は該弾性材に引張力で靴底に押し付けられる。
【００２３】
図５は取付具（３）の側面図と背面図の並列図である。着脱具（３２）を面ファスナーで着けるために、取付具（３１）を靴に装着する。該取付具の中央部のシートは靴の中に入り、履く人の踵で踏む。該シートの両端部に面ファスナーを加工して該着脱具の着脱に備える。
【実施例２】
【００２４】
図６と図７は実施例２に関する。これは、実施例１の該把手によるオンオフ操作に代えて、電動モーターによる駆動機構（６６）を用いる。ワイヤによる伝達材（６４）を介して実施例１と同様に挙動する。図６は該機構の回転開始準備が完了した状態の側面図である。（実施例２）
【００２５】
図７は電動の駆動機構（６６）の無線スイッチによる制御部（６７）を着衣の一部のスイッチ操作に便利な便利部（５）にゴムバンドの留め具（５１）で着けた側面図である。実施例２又は実施例４の駆動に利用し、該留め具を用いず直接ポケットに挿入してもよい。
【実施例３】
【００２６】
図８と図９は実施例３に関する。図８は、自動車の車輪に着けた着脱具（３２）に機能部（６）を取付け、該機能部をオンにした状態の斜視図である。実施例２のように電動の駆動機構（６６）で制御する。場合によって電動モーターの回転力に代えて圧搾空気又は液体の圧力で駆動する。
【００２７】
図９は該機能部をオフにした状態の斜視図である。
【実施例４】
【００２８】
図10は実施例４に関する。参考文献などに見る反転スパイクを着脱具（３２）取付加工し、該着脱具に半月形のシート状による把手の間接材（６１）を着けた装着状態における側面図である。即ち、よく知られたヒンジの防滑金具をバンドに取付け、このバンドを面ファスナーで靴に付ける用具である。該把手を着けることによって着脱が容易になる。多様なオンオフ装置を着脱容易な用具に取り付けることによって操作が飛躍的に容易になり、加えて、転用の可能性による経済性の向上の効果をも得ることができる。
【産業上の利用可能性】
【００２９】
接地用具において、望ましい接地条件を簡易且つ適時に選択することを可能にすることによって、移動の安全と能率を向上することができる。
【符号の説明】
【００３０】
１  接地用具
１２  前部
１３  後部
２  接地部
３  取付具
３１  取付具
３２  着脱具
３３  支承部
４  路面
５  便利部
５１  留め部
６   機能部
６１  間接材
６２  弾性材
６３  突起
６４  伝達材
６５  平衡具
６６  駆動機構
６７  制御部
６８  選択機構
【図１】
2012081006.tif 000003
【図２】
2012081006.tif 000004
【図３】
2012081006.tif 000005
【図４】
2012081006.tif 000006
【図５】
2012081006.tif 000007
【図６】
2012081006.tif 000008
【図７】
2012081006.tif 000009
【図８】
2012081006.tif 000010
【図９】
2012081006.tif 000011
【図１０】
2012081006.tif 000012
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
移動の能率と安全を向上するために用いる接地用具において、下記の４条件から構成されることを主要な特徴とする接地条件の制御用具。
１.  接地用具（１）において、路面（４）に接する接地部（２）の少なくとも一部を独立した機能部（６）とし、該機能部に突起、起伏又は肌合いによる所望の物性を持たせる。
２.  該機能部を脱着、回転、移動、反転、変形、被覆の何れかの方法を利用して該機能部の機能を簡易にオンオフするために該機能部の位置又は姿勢を選択する選択機構（６８）を持つ。
３.  オフでは該機能部を該接地部の近傍に格納する。
４.  該オンオフには、該機能部の動きを制御する間接材（６１）若しくは媒介現象による間接法、又は、離れた上方の容易に手が届く操作位置で着脱により直接選択操作する直接法の何れかを利用して路面から離れた上方の操作位置でオンオフする。
【請求項２】
機能部（６）を着脱具（３２）に取り付け、幾何学的な掛止機構、面ファスナー、プラスチックバックル、気圧差の吸着力、磁力による付着、弾性力による締め付け等の何れかを利用することによって該着脱具を該接地用具に着脱自在に取付け、該機能部の選択機構（68）を操作の容易な位置で行うことを特徴とする請求項１に記載の接地条件の制御用具。
【請求項３】
支承部（３３）と軸状の間接材（６１）の間に螺旋を形成し、上下運動に回転運動が伴うことを特徴とする請求項１に記載の接地条件の制御用具。
【手続補正２】
【補正対象書類名】明細書
【補正対象項目名】全文
【補正方法】変更
【補正の内容】
【発明の詳細な説明】
【技術分野】
【０００１】
本発明は、接地用具の接地条件の制御用具に関し、特にスリップ防止に関する。
【背景技術】
【０００２】
本願における接地用具は、足における靴及びブーツなどの履物並びに車輪装置におけるタイヤ及び無限軌道などのように、移動する路面に接する接地部を有し、この部分の特有な起伏又は付加物加工によって移動の安全と能率を向上させる器具である。従来、代表的な接地用具である靴を履いてする各種のスポーツにおいては、靴底の接地部に突起（スパイクやトレッドパターン）を植えてスリップを防止している。
【０００３】
しかし、不要なところでは路面又は該突起が損傷する。この欠点を解決するために、１８６５年の特許文献１以来、多くの発明がなされて来た。これは突起をカバーやゴムバンドのように簡易に着脱する器具の接地部に植え、防滑の機能を持つ部分を機能部とし、不要時は該機能部を含む着脱用具全体を取り外して格納することによって、該機能部の使用と不使用、即ち、オンとオフを選択する用具である。しかし、格納時はポケットやバッグが嵩張って活動の邪魔になったり汚れたりする欠点があった。
【０００４】
この欠点を解決するために、オフ時には、該機能部の反転と移動によって該接地部に近い位置に格納する用具が発明された。即ち、独立の機能部として小鋼片の片面に突起を形成して該接地部に取り付け、該突起部の裏返しによってオン‐オフした。こうした突起部の反転による手段については、特許文献２（１８８４年）、特許文献３（１９６０年）、特許文献４（１９９４年出願）、特許文献５及び特許文献６など多数の特許が出願されてきた。しかし、このような方法では、反転時に足を大きく上に上げて該機能部を操作するので、窮屈な姿勢を要し、特に足や手の不自由な場合は操作が面倒になる欠点があった。
【０００５】
この欠点を解決するために特許文献7から9のような多様な手段が提案され、スパイクのオンオフには該機能部の露出と被覆による方法や弾性変形を利用する方法も提案されたが、オンオフに特殊の姿勢を要する欠点があった。
【０００６】
加えて、従来の方法では、面倒な操作を容易にするために該機能部の位置保持力が弱すぎて不安定になるか、氷が付着した機構を無理な姿勢で操作するには強すぎて適時のオンオフ操作を怠ることが生じ、スリップ事故を生じたり、突起や床表面が損傷したりする欠点があった。
【先行技術文献】
【特許文献】
【０００７】
【特許文献１】米国特許 第４４９６１号
【特許文献２】米国特許 第３０９７４７号
【特許文献３】米国特許 第２９２０４０３号
【特許文献４】特開平８−１４０７０６号公報
【特許文献５】日本国特許 第３０１６１１２号
【特許文献６】日本国特許 第４３４２１０５号
【特許文献７】米国特許第３７９３７５１号
【特許文献８】米国特許第４２７１６０８号
【特許文献９】米国特許第５７２２１８９号
【発明の概要】
【発明が解決しようとする課題】
【０００８】
発明の課題は、使用時は使用条件に応じた適切な接地条件を選択して安定することができ、不使用時は移動などの邪魔にならず、選択の操作が無理な姿勢を取らずに操作できることである。即ち、接地用具において下記の３条件を同時に満足することである。
１）  確実な機能部のオンオフ選択が可能である（必要な時に限定して効果を発揮するように効果的な機能部を接地部に保持する）。
２）  機能部が不要な路面では、接地部の近傍に収納する（活動の邪魔をしないオフ状態にする）。
３）  上記オンオフの制御を操作の容易な位置で行う（路面から上方に離れた位置で通常動作範囲の姿勢のまま操作する）。
【課題を解決するための手段】
【０００９】
本発明は、上記の課題を解決するため、下記の４条件から構成されることを主要な特徴とする。
１.  接地用具（１）において、路面（４）に接する接地部（２）の少なくとも一部を独立した機能部（６）とし、該機能部に突起、起伏又は肌合いによる所望の物性を持たせる。
２.  該機能部を脱着、回転、移動、反転、変形、被覆の何れかの方法を利用して該機能部の機能を簡易にオンオフするために該機能部の位置又は姿勢を選択する選択機構（６８）を持つ（オンの機能状態とオフの格納状態を選択するために適切な状態の選択機構を持つ）。
３.  オフでは該機能部を該接地部の近傍に格納する。（別の格納場所や格納袋などを用いることなく、移動の邪魔をしない状態に格納する。）
４.  該オンオフには、該機能部の動きを制御する間接材（６１）若しくは媒介現象による間接法、又は、離れた上方の容易に手が届く操作位置で着脱により直接選択操作する直接法の何れかを利用して路面から離れた上方の操作位置で該選択をする（選択機構を利用してオンオフの制御を無理な姿勢を取らずに行う。）
【００１０】
該間接法は、該選択機構において、該間接材又は該媒介現象を用いて路面の上方で操作の容易な位置から該機能部の状態を変更して該選択の操作をする手段である。該間接材は物理的な力を伝達する線材、棒材、帯材、流体の何れかである。該上方で加えた操作を、該間接材を介して該機能部に伝達することによって該選択を操作する。
【００１１】
該間接法において、該媒介現象は電流、音波、電磁波の何れかである。該媒介現象の発信元（スイッチ又は操作パネル）になる制御部（６７）を該上方又は着衣に着脱可能に付着させる。これによって該選択が一層容易になる。該制御部からの発信により、電動機の回転、ソレノイドの出入り、形状記憶材料の加熱変形の何れかにより駆動する駆動機構（６６）を用いて該選択を操作する。
【００１２】
該直接法におけるオンオフの選択は、該接地用具がスリッパのように履き易い形状であったり、足が高く上がる使用者であったりする場合は、着脱することなく軽易にオンオフすることが可能であることは当然である。なお該接地用具に自在に着脱できる着脱具（３２）に該選択機構を取付けることによって更に簡易な操作のできる用具になる。
【００１３】
上記の着脱は、従来のすべり止めにも使われている掛止機構（フックやボタンのようにトポロジー的な形状による）、面ファスナー、プラスチックバックル、気圧差の吸着力、磁力による付着、弾性力による締め付け等の手段の何れかを利用する。即ち、該接地用具から離し、より操作の容易な該上方で該機能部の状態を手で直接変更してから元の位置に戻す。
【００１４】
該着脱具の着脱において、該接地用具に固定的に取り付ける保持具（３１）を用い、これに該着脱具を着脱すると該着脱具の着脱は更に容易になる。
【００１５】
着脱をより容易な位置で行うために該着脱具に弾性材料から成る把手を、着脱を便利にする把手（３４）として該着脱具の上方に付加する。
【発明の効果】
【００１６】
上記のように、本発明は該接地用具における該機能部の該選択を簡易に該接地部から上で行うことを可能にし、該接地用具の使用条件に適した物性の材料で該機能部を構成して移動をより安全且つ能率的にする効果を奏する。なお、請求項２の着脱による制御（直接法）の制御用具は、本来の使用効果を保ちながら他の器具に転用が容易になるので一個の用具を多くの接地用具に転用することを可能にして更に経済的になる。
【図面の簡単な説明】
【００１７】
【図１】は接地用具（１）の靴において、着脱具（３２）に取り付けた機能部（６）をオフにした状態の側面図である。（実施例１）
【図２】は該機能部をオンにする途中に、靴底を浮かせて間接材（６１）を下に押し、該機能部を押し下げた状態の側面図である。（実施例１）
【図３】は該間接材の軸回転によって該機能部の一部を踵底下に導いた状態の側面図である。（実施例１）
【図４】は該間接材を９０度まで更に軸回転させた状態の側面図である。（実施例１）
【図５−１】は該接地用具の踵部の接地部（２）を点線で示して、着脱具（３２）が該踵部を包むように装着する要領を示す側面図である。（実施例1）
【図５−２】は保持具（３１）を該接地用具内の敷物の下を通して固定して端末を外に出して面ファスナーを着け、該着脱具の面ファスナーとで結合した状態における踵中央部の断面図である。（実施例1）
【図５−３】は保持具（３１）を該接地用具に固定し、面ファスナー部を外に出した状態の側面図である。（実施例1）
【図６】は電動モーターによる駆動機構（６６）を用い、オン操作の開始準備が完了した状態の側面図である。（実施例２）
【図７】は電動の駆動機構（６６）の無線スイッチによる制御部（６７）を着衣の一部に着けた側面図である。（実施例２）
【図８】は自動車の車輪における接地用具（１）のタイヤに対して、実施例２のように機能部（６）を着脱具（３２）に取付け、該機能部をオンにした状態の斜視図である。（実施例３）
【図９】は該機能部をオフにした状態の斜視図である。（実施例３）
【図１０−１】は把手（３４）を着けた着脱具（３２）の装着状態における側面図である。（実施例４）
【図１０−２】は従来のヒンジ機構によるスパイク部の反転を利用したオンオフの選択機構により、機能部（６）に着けた突起（６３）がオンの状態になった部分を部分的に断面図にした側面図である。（実施例４）
【図１０−３】は前図における該突起がオンの状態を路面（４）側から見た平面図である。（実施例４）
【発明を実施するための形態】
【００１８】
不要時の格納状態では機能部（６）が接地用具（１）と一体化して移動の障害になることを防ぎ、且つ、必要時に望ましい物性を持つ該機能部を適時に容易な動作で確保する目的を、選択機構（６８）とオンオフ操作を接地面（４）より高い位置で無理な姿勢を取らずに行うことによって、簡易な用具で実現した。なお、オンでは、該機能部が使用時に受ける負荷で過大な変位をしないように固定することが前提である。（不使用時も使用時も移動中に他に接触して怪我や破損を生じないように固定し、移動の安全と能率とを向上する。）
【実施例１】
【００１９】
図１のように、接地用具（1）の靴に着脱具（３１）を介して一時的に装着した着脱具（３２）において、支承部（３３）の支持によって軸回転とスライドとをする間接材（６１）を保持する。該着脱具は面ファスナーなどで着脱する。該間接材の下部はヒンジの選択機構（６８）である。即ち、該間接材の先端は直角に曲げ、機能部（６）はヒンジの選択機構（６８）によって回転自在に保持する。該機能部は薄シートにスパイクを打設して突起（６３）が裏表ともに突き出るように加工する。防滑状態になるために、該機能部の位置は、図１のオフ（格納状態）から図４のオン（機能状態）に変化する。即ち、凍結路面に対して、該機能部をオンにする経過ステップが図２から図３の一連の動作である。続いて図４のように更に該選択機構を軸回転させてオンの状態にする。この状態で弾性材（６２）が該機能部を上に引くので上向き（裏）の該突起は接地部（２）を押してずれを防ぎ、下向き（表）の該突起は路面に刺さって防滑機能を発揮する。使用環境や靴によって該選択機構の端末を異なる材料や異形の起伏形状に形成した該機能部にすることができる。
【００２０】
図２のように、該機能部をオンにするためには先ず該接地用具を路面（４）から浮かせ、該間接材を押し下げて該機能部を下げる。この時ゴム紐の弾性材（６２）は伸びる。該間接材の上端部を柔軟な材料で作り、上端部をゴム製の球状にして安全な用具にしている。
【００２１】
図３のように該間接材を軸回転させると該機能部の一部が靴底の踵下に導かれる。この部分を靴底で抑えるので該機能部は略水平になる。
【００２２】
図４のように、該間接材を更に90度まで軸回転させると該機能部も回転して該突起は前後の配置になる。該機能部は該弾性材の引張力で靴底に押し付けられる。
【００２３】
接地用具（１）に着脱具（３２）を取り付ける要領を図５-1から図５-３に示す。図５-1のように着脱具（３２）を面ファスナーで着ける。このために着脱具（３１）を靴に装着する。該着脱具の中央部のシートは靴の中に入り、履く人の踵で踏む。図５−３のように該シートの両端部は靴の外側に出る。そこに面ファスナーを加工して該着脱具の着脱に備える。
【実施例２】
【００２４】
図６と図７は実施例２に関する。これには、実施例１の該把手の該間接材によるオンオフ操作に代えて、電動モーターによる駆動機構（６６）を用いる。該駆動機構は従来の着脱バンドで接地用具（１）に取り付け、機能部（６）は、ワイヤによる伝達材（６４）を介して実施例１と同様に挙動する。図６は該駆動機構の回転開始準備が完了し、矢印のように時計回りに回転しようとした状態の側面図である。
【００２５】
図７は電動の駆動機構（６６）の無線スイッチによる制御部（６７）を着衣の一部のスイッチ操作に便利な位置を滑り難くした便利部（５）にゴムバンドの留め具（５１）で着けた側面図である。これは実施例３など他の方法の駆動にも利用できる。なお、該留め具を用いず直接ポケットに挿入してもよい。
【実施例３】
【００２６】
図８のように、自動車の車輪に着けた着脱具（３２）に機能部（６）を取付け、該機能部をオンにする。実施例２のように電動の駆動機構（６６）を車輪に装着し、運転席から遠隔で制御する。場合によって電動モーターの回転力に代えて圧搾空気又は液体の圧力で駆動する。
【００２７】
図９のように駆動機構（６６）を逆転させて該機能部をオフにする。
【実施例４】
【００２８】
スパイク付の該機能部を直接動かす直接法を用いる。図10―２に示すように、よく知
られたヒンジの防滑金具である機能部（６）と選択機構（６８）とによる反転スパイクを着脱具（３２）取付ける。該着脱具の上端に半月形シート状の把手（３４）を靴に着けた状態を図10―１に示す。即ち、反転スパイクの金具を着脱具である
バンドに取付け、このバンドを面ファスナーで靴に付ける用具である。該把手を着けることによって着脱が容易になる。先行技術文献に見る多様なオンオフ装置を着脱容易な用具に取り付けることによって操作が飛躍的に容易になり、加えて、他の靴にも転用することができるので本発明が経済的になる。
【産業上の利用可能性】
【００２９】
接地用具において、望ましい接地条件を簡易且つ適時に選択することを可能にすることによって、移動の安全と能率を向上することができる。
【符号の説明】
【００３０】
１  接地用具
２  接地部
４  路面
５  便利部
６   機能部
１２  前部
１３  後部
３１  保持具
３２  着脱具
３３  支承部
３４  把手
５１  留め部
６１  間接材
６２  弾性材
６３  突起
６４  伝達材
６５  平衡具
６６  駆動機構
６７  制御部
６８  選択機構
【手続補正３】
【補正対象書類名】図面
【補正対象項目名】全図
【補正方法】変更
【補正の内容】
【図１】
2012081006.tif 000013
【図２】
2012081006.tif 000014
【図３】
2012081006.tif 000015
【図４】
2012081006.tif 000016
【図５−１】
2012081006.tif 000017
【図５−２】
2012081006.tif 000018
【図５−３】
2012081006.tif 000019
【図６】
2012081006.tif 000020
【図７】
2012081006.tif 000021
【図８】
2012081006.tif 000022
【図９】
2012081006.tif 000023
【図１０−１】
2012081006.tif 000024
【図１０−２】
2012081006.tif 000025
【図１０−３】
2012081006.tif 000026